(57)【要約】  【課題】ディスク排出時にディスクがディスク出入口から脱落するのを防止する。【解決手段】  ディスク記録再生装置は、ディスク出入口を塞ぐと共にディスク６が通過する切れ目２０２を備えたゲートシート２０３と、該ゲートシート２０３をディスク出入口側に向けた状態で支持しているゲートシート支持フレーム２０４と、からなるディスク脱落防止機構２０１を備えている。ゲートシートは、切れ目２０２において第１，第２のシート部２１１，２１２に分割されている。シート支持フレームは、第１のシート部を支持する第１のフレーム部２２１と、第２のシート部を支持する第２のフレーム部２２２と、に分割されていると共に、第１，第２のフレーム部の少なくともいずれか一方のフレーム部は、ディスク出入口を塞いでいる位置からディスク挿入方向に回動可能に、かつディスク出入口を塞いでいる位置からディスク排出方向には回動不可能に筐体に取付けられている。  【選択図】  図１３
2005235341.tif 000002
【特許請求の範囲】
【請求項１】
ディスクを出し入れするディス出入口を設けた筐体と、該筐体内にディスクを出し入れするディスク搬送機構と、該ディスク搬送機構により排出されてきたディスクが前記ディスク出入口から脱落しないように保持するディスク脱落防止機構と、を備え、前記ディスク脱落防止機構は、前記ディスク出入口を塞ぐと共にディスクが通過する切れ目を備えたゲートシートと、該ゲートシートを前記ディスク出入口側に向けた状態で支持しているゲートシート支持フレームと、を備えたディスク記録及び／又は再生装置において、
前記ゲートシートは、前記切れ目において第１，第２のシート部に分割され、
前記シート支持フレームは、前記第１のシート部を支持する第１のフレーム部と、前記第２のシート部を支持する第２のフレーム部と、に分割されていて、
前記第１，第２のフレーム部の少なくともいずれか一方のフレーム部は、前記ディスク出入口を塞いでいる位置からディスク挿入方向に回動可能に、かつ前記ディスク出入口を塞いでいる位置からディスク排出方向には回動不可能に前記筐体に取付けられていることを特徴とするディスク記録及び／又は再生装置。
【請求項２】
前記第１のフレーム部は、前記ディスク出入口を塞いでいる位置からディスク挿入方向に回動可能に、かつ前記ディスク出入口を塞いでいる位置からディスク排出方向には回動不可能に前記筐体に取付けられ、第２のフレーム部は、回動不可能に前記筐体に取付けられていることを特徴とする請求項１に記載のディスク記録及び／又は再生装置。
【請求項３】
前記第１のフレーム部および第２のフレーム部は、前記ディスク出入口を塞いでいる位置からディスク挿入方向に回動可能に、かつ前記ディスク出入口を塞いでいる位置からディスク排出方向には回動不可能に前記筐体に取付けられていることを特徴とする請求項１に記載のディスク記録及び／又は再生装置。
【請求項４】
前記ディスク挿入方向に回動可能に取付けられたフレーム部は、ディスク挿入後の復帰力を弾性部材によって付与されていることを特徴とする請求項１に記載のディスク記録及び／又は再生装置。
【請求項５】
前記ディスク搬送機構のディスク排出は、ディスク排出動作が終了する直前において減速されることを特徴とする請求項１に記載のディスク記録及び／又は再生装置。
【請求項６】
前記ディスク脱落防止機構は、前記ディスク出入口を垂直方向に向けたディスク記録及び／又は再生装置の縦置き使用において重力による前記ディスクの下方への偏り姿勢を制御するディスク姿勢制御部材を備えていることを特徴とする請求項１に記載のディスク記録及び／又は再生装置。
【発明の詳細な説明】
【技術分野】
【０００１】
本発明は、所謂スロットイン方式のディスク記録及び／又は再生装置に関するものである。
【背景技術】
【０００２】
ディスク記録及び／又は再生装置には、トレイにディスクを載せて、ディスクのローディングを行なうトレイ方式のものと、ディスクをディスク出入口から直接、筐体内に挿入するスロットイン方式のものが知られている。
【０００３】
トレイ方式のディスク記録及び／又は再生装置は、トレイを引き出してからディスクをローディングするために記録及び／又は再生に至るまでの時間が長く掛かるという欠点がある。
【０００４】
一方、スロットイン方式のディスク記録及び／又は再生装置は、ディスクをディスク出入口から直接、筐体内に挿入するので、トレイ方式のディスク記録及び／又は再生装置に比べてより短時間でローディングを終了し、記録及び／又は再生を行なうことができるという利点がある反面、ディスクをエジェクトする際に、ディスクが筐体のディスク出入口から脱落し易いという欠点があった。
【０００５】
そこで、排出されてきたディスクをディスク出入口から脱落しないように保持することのできるディスク記録及び／又は再生装置が開発されている。（例えば、特許文献１参照）
上記ディスク記録及び／又は再生装置は、ディスクを出し入れするディス出入口を設けた筐体と、該筐体内にディスクを出し入れするディスク搬送機構と、該ディスク搬送機構により排出されてきたディスクが前記ディスク出入口から脱落しないように保持するディスク脱落防止機構と、を備えている。
【０００６】
図５２に示すように、前記ディスク脱落防止機構３０１は、筐体３０２のディスク出入口３０３を塞ぐと共にディスク３０４が通過する切れ目３０５を備えたゲートシート３０６と、該ゲートシート３０６を前記ディスク出入口３０３側に向けた状態で支持しているゲートシート支持フレーム３０７と、を備えている。前記ゲートシート支持フレーム３０７は、マスク開口部３０８を備えていて、該マスク開口部３０８の中央部に前記切れ目３０５が位置するようになっている。
【０００７】
前記ゲートシート３０６には、前記切れ目３０５を挟んでその上下に該切れ目３０５と平行に複数のスリット３０９が設けられている。これらスリット３０９は、前記マスク開口部３０８の周縁３０８ａよりも前記切れ目３０５から離れた位置に形成されている。
【０００８】
そして、ディスク３０４を挿入すると、図５３に示すように、ディスク３０４に押されて前記切れ目３０５を境にしてその上下のゲートシート３０６が筐体３０２の内側に撓むようになっている。また、ディスク３０４の排出時においては、図５４に示すように、前記切れ目３０５を境にしてその上下のゲートシート３０６が前記マスク開口部３０８の周縁３０８ａの内側に入り込むように撓んで、ディスク保持力を発生させるようになっている。
【特許文献１】特開２００２−３３４４９９号公報
【発明の開示】
【発明が解決しようとする課題】
【０００９】
上記従来のディスク記録及び／又は再生装置には、次に述べるような問題点があった。
（１）図５４に示すディスク排出途中において再挿入させる場合に前記上下のゲートシート３０６を円滑に反転させることが難しい。また、前記上下のゲートシート３０６が反転した場合には所謂反転ショックが発生する。
（２）前記上下のゲートシート３０６が反転するまではディスク再挿入時におけるローディング負荷が増大してしまう。
（３）図５５に示すように一端側を軸３１０で回動可能に枢止した一対の回動アーム３１１，３１２の他端側（自由端側）にディスク送りローラ３１３を取付け、前記一対の回動アーム３１１，３１２に互いのディスク送りローラ３１３，３１３の間隔が狭まる方向の回動力をバネ３１４で付与し、ディスク３０４を挿入すると前記一対の回動アーム３１１，３１２を前記バネ３１４のバネ力に抗して押し広げるようにしてディスク３０４の周面が前記ディスク送りローラ３１３，３１３の周面に所謂食い付くように係合し、前記ディスク送りローラ３１３，３１３を回転させることによりディスク３０４のローディングを行なうようにしたディスク記録及び／又は再生装置においては、アンローディング時に前記ディスク送りローラ３１３，３１３とディスク３０４の係合が解除されると前記一対の回動アーム３１１，３１２に作用する前記バネ３１４のバネ力によりディスク３０４が勢い良く押し出されるため、従来のディスク脱落防止機構ではディスク３０４の脱落を確実に防止することが困難であった。特に、ディスク挿入時におけるディスク送りローラ３１３，３１３のディスク３０４への食い付きを良くするために前記バネ３１４のバネ力を大にするとこの傾向が顕著になる。
（４）ディスク記録及び／又は再生装置を縦置き使用（仕様）にするとディスク３０４がディスク出入口から脱落し易くなる。
【００１０】
本発明の目的は、ディスク排出途中において再挿入する場合においてもゲートシートが反転ショック等を起こすのを防止すると共に、ディスク排出時にディスクがディスク出入口から脱落するのをより確実に防止することのできるディスク記録及び／又は再生装置を提供することにある。
【課題を解決するための手段】
【００１１】
請求項１の発明は、ディスクを出し入れするディス出入口を設けた筐体と、該筐体内にディスクを出し入れするディスク搬送機構と、該ディスク搬送機構により排出されてきたディスクが前記ディスク出入口から脱落しないように保持するディスク脱落防止機構と、を備え、前記ディスク脱落防止機構は、前記ディスク出入口を塞ぐと共にディスクが通過する切れ目を備えたゲートシートと、該ゲートシートを前記ディスク出入口側に向けた状態で支持しているゲートシート支持フレームと、を備えたディスク記録及び／又は再生装置において、
前記ゲートシートを、前記切れ目において第１，第２のシート部に分割し、前記シート支持フレームを、前記第１のシート部を支持する第１のフレーム部と、前記第２のシート部を支持する第２のフレーム部と、に分割すると共に、前記第１，第２のフレーム部の少なくともいずれか一方のフレーム部を、前記ディスク出入口を塞いでいる位置からディスク挿入方向に回動可能に、かつ前記ディスク出入口を塞いでいる位置からディスク排出方向には回動不可能に前記筐体に取付けた。
【００１２】
請求項２の発明は、請求項１に記載のディスク記録及び／又は再生装置において、
前記第１のフレーム部を、前記ディスク出入口を塞いでいる位置からディスク挿入方向に回動可能に、かつ前記ディスク出入口を塞いでいる位置からディスク排出方向には回動不可能に前記筐体に取付けると共に、第２のフレーム部を、回動不可能に前記筐体に取付けた。
【００１３】
請求項３の発明は、請求項１に記載のディスク記録及び／又は再生装置において、
前記第１のフレーム部および第２のフレーム部の両方を、前記ディスク出入口を塞いでいる位置からディスク挿入方向に回動可能に、かつ前記ディスク出入口を塞いでいる位置からディスク排出方向には回動不可能に前記筐体に取付けた。
【００１４】
請求項４の発明は、請求項１に記載のディスク記録及び／又は再生装置において、
ディスク挿入時にディスク挿入方向に回動したフレーム部を、ディスク挿入後に前記ディスク出入口を塞ぐ位置に強制的に復帰させる弾性部材を設けた。
【００１５】
請求項５の発明は、請求項１に記載のディスク記録及び／又は再生装置において、
前記ディスク搬送機構によるディスク排出動作が終了する直前においてディスク排出速度を減速した。
【００１６】
請求項６の発明は、請求項１に記載のディスク記録及び／又は再生装置において、
前記ディスク脱落防止機構に、前記ディスク出入口を垂直方向に向けたディスク記録及び／又は再生装置の縦置き使用において重力による前記ディスクの下方への偏り姿勢を制御するディスク姿勢制御部材を設けた。
【発明の効果】
【００１７】
請求項１のディスク記録及び／又は再生装置は、ディスク挿入時において、ディスクの先端が前記ディスク出入口を塞いでいる位置にあるシート部（ゲートシート）に当たって押されると、前記一方のフレーム部は、前記ディスク出入口を塞いでいる位置から所謂逃げ方向に回動してディスクを通過させる。また、ディスク排出時において、ディスクの先端が前記ディスク出入口を塞いでいる位置にあるシート部に当たって押されると、前記一方のフレーム部は、ディスク排出方向には回動不可能になっているので、逃げ回動は出来ず、シート部が撓んでディスクの表面に圧着してディスクを保持する。
【００１８】
請求項２のディスク記録及び／又は再生装置は、ディスク挿入時において、ディスクの先端が前記ディスク出入口を塞いでいる位置にあるシート部に当たって押されると、第１のフレーム部は、前記ディスク出入口を塞いでいる位置から逃げ方向に回動してディスクを通過させる。一方、第２のフレーム部は、固定されているので回動せず、これに取付けられているシート部が撓んでディスクの一方の表面に圧着する。また、ディスク排出時において、ディスクの先端が前記ディスク出入口を塞いでいる位置にあるシート部に当たって押されると、前記一方のフレーム部は、ディスク排出方向には回動不可能になっているので、逃げ回動は出来ず、シート部が撓んでディスクの一方の主面に圧着すると共に、第２のフレーム部も、固定されているので回動せず、これに取付けられているシート部が撓んでディスクの他方の表面に圧着して、ディスクを保持する。
【００１９】
請求項３のディスク記録及び／又は再生装置は、ディスク挿入時において、ディスクの先端が前記ディスク出入口を塞いでいる位置にあるシート部に当たって押されると、前記第１，第２のフレーム部は、前記ディスク出入口を塞いでいる位置から逃げ方向に回動してディスクを通過させる。また、ディスク排出時において、ディスクの先端が前記ディスク出入口を塞いでいる位置にあるシート部に当たって押されると、前記第１，第２のフレーム部は、ディスク排出方向には回動不可能になっているので、逃げ回動が出来ず、シート部が撓んでディスクの表面に圧着してディスクを保持する。
【００２０】
請求項４のディスク記録及び／又は再生装置は、ディスク挿入時にディスク挿入方向に回動したフレーム部を、ディスク挿入後に前記ディスク出入口を塞ぐ位置に強制的に復帰させる弾性部材を設けたので、フレーム部を自重（重力）により自動的に前記ディスク出入口を塞ぐ位置に復帰させることが困難なディスク出入口の下方に位置するフレーム部や、ディスク記録及び／又は再生装置を縦置きした場合においても、前記ディスク出入口の左右側方に位置するフレーム部を前記ディスク出入口を塞ぐ位置に強制的に復帰させることができる。
【００２１】
請求項５のディスク記録及び／又は再生装置は、前記ディスク搬送機構によるディスク排出動作が終了する直前においてディスク排出速度を減速したので、ディスク排出動作終了時に慣性によるディスク放出力を抑制し、前記ディスク脱落防止機構の効果をより確実なものとしてディスクがディスク出入口から放り出されるのを防止する。
【００２２】
請求項６のディスク記録及び／又は再生装置は、前記ディスク脱落防止機構の外側に配置したディスク姿勢制御部材によって前記ディスク出入口を垂直方向に向けたディスク記録及び／又は再生装置を縦置き使用した場合においても重力によるディスクの下方への偏り姿勢を矯正制御してディスクがゲートシートへの触れ方の不均一によるグリップ力の偏りにより生じるディスク出入口から転がり落ちを防止する。また、従来は難しいとされていたゲートシートの素材の選定、形状や取付位置などの決定を上記ディスク姿勢制御部材の使用により簡単、適切に行うことが可能になり、且つ安定したディスク保持性能を得ることが可能になった。また、セットのフロントパネルなどの変形や取付精度等が多少ラフであっても、これらの変形や取付誤差等を上記ディスク姿勢制御部材で補償するので設計が容易になる。
【発明を実施するための最良の形態】
【００２３】
次に本発明の最良の実施の形態を（１）ディスク記録及び／又は再生装置全体の概略構成、（２）筐体、メカシャーシ、ディスクチャッキング機構の構成、（３）メカシャーシロック機構、（４）ディスク脱落防止機構、（５）ディスク挿入ガイド機構の構成、（６）スイッチ機構の構成、（７）ディスクセンタリング部材の構成、（８）ディスク搬送機構の構成、（９）ギヤ切換機構の構成、（１０）メカシャーシ昇降機構の構成、（１１）搬送ローラ接離機構の構成、（１２）ディスク重複挿入防止機構の構成、（１３）作用、の順に説明する。
【００２４】
（１）ディスク記録及び／又は再生装置全体の概略構成
ディスク記録及び／又は再生装置１は、図１〜図３に示すようにディスク脱落防止機構２０１を介して、筐体２に設けたディスク出入口３からディスクを挿入すると、該ディスクは、前記ディスク出入口３の内側に配置したディスク挿入ガイド機構３１（図１５、図１６参照）によりガイドされて筐体２内に挿入される。
【００２５】
ディスクが所定の位置まで挿入されるとスイッチ機構６１（図１８〜２０参照）によりディスク搬送機構９１（図２７、図２８参照）のモータ９２のスイッチが入り、ディスクは、搬送ローラ３２，３３でディスクテーブル１２の略真上に搬送されてディスクセンタリング部材８１（図２１、図２２参照）により位置決めされる。
【００２６】
ディスクがディスクテーブル１２の略真上に位置決めされた後にギヤ切換機構１３１（図２９〜３３参照）が作動し、前記ディスク搬送機構９１のモータ９２によってメカシャーシ昇降機構１５１（図３４、図３５参照）を駆動し、メカシャーシ１１に搭載されているディスクテーブル１２をディスク側に移動させて、ディスクをディスクテーブル１２上にチャッキングする。ディスクテーブル１２上にディスクをチャッキングした後に搬送ローラ接離機構１６１（図３０〜図３３、図３６参照）により搬送ローラ３２，３３をディスクから離間させ、ディスクを搬送ローラ３２，３３の拘束から開放してディスクの回転フリーの状態にすると共に、ディスク重複挿入防止機構１７１（図４１、図４２参照）により前記ディスク出入口３を遮断して他のディスクの重複挿入を不可能にする。そして、記録及び／又は再生を行なう。
【００２７】
記録及び／又は再生終了後にエジェクト釦を押すと前記モータ９２が逆転して、ディスク重複挿入防止機構１７１によるディスク出入口３の遮断が解除され、ディスクはディスク出入口３から排出されてきて、前記ディスク脱落防止機構２０１によりディスク出入口３から脱落しないように保持されると共に、メカシャーシ１１は、メカシャーシロック機構１９１（図４７、図４８参照）によりロックされる。
【００２８】
（２）筐体、メカシャーシ、ディスクチャッキング機構の構成
図１〜図３に示すように、筐体２は、ベースプレート４と、天面パネル５と、を備えていて、これらベースプレート４と天面パネル５との間にディスク出入口３が設けられている。ディスク出入口３は、８ｃｍのディスク６と１２ｃｍのディスク７の両方を挿入することのできる大きさに形成されている。ベースプレート４にはメカシャーシ１１が取付けられている。
【００２９】
図４、図５に示すように、メカシャーシ１１は、ディスクテーブル（ターンテーブル）１２や光学ピックアップ１３等を搭載している。メカシャーシ１１は、軸１４によってベースプレート４に回動可能に取付けられていて、ディスクテーブル１２をディスクチャッキング解除位置（図４参照）と、ディスクチャッキング位置（図５参照）との間で昇降させるようになっている。
【００３０】
メカシャーシ１１は、ディスクチャッキング解除位置に移動してきたときに、次に説明するメカシャーシロック機構１９１（図４７、図４８参照）によりベースプレート４側に固定（ロック）されるようになっている。
【００３１】
図４、図５に示すように、天面パネル５にはディスクチャッキング機構２１が設けられている。ディスクチャッキング機構２１は、チャッキング部材２２と、チャッキング部材２２を支持しているチャッキング部材支持アーム２３と、を備えている。
【００３２】
図６、図７に拡大して示すように、チャッキング部材２２は、鉄等の磁性金属板をインサートした合成樹脂により略円板状に形成されている。チャッキング部材支持アーム２３は、二股状のプレート支持部２４を有していて該レート支持部２４を前記チャッキング部材２２の外周面に設けた凹部２５に挿入することによりチャッキング部材２２を支持するようになっている。チャッキング部材支持アーム２３は、軸２６により天面パネル５に起伏回動可能に取付けられている。チャッキング部材支持アーム２３は、一端部２３ａ側をアーム操作部材２７によって押し下げることにより前記軸２６を中心に時計方向の回動力を付与されていて、前記チャッキング部材支持アーム２３を天面パネル５上に所定の傾斜角度で起き上がらせている。（図６参照）。
【００３３】
そして、前記アーム操作部材２７によるチャッキング部材支持アーム２３の一端部２３ａ側の押し下げを解除すると、チャッキング部材支持アーム２３は、捩りコイルバネ２８のバネ力で反時計方向に回動して、チャッキング位置に移動するようになっている。（図７参照）。
【００３４】
（３）メカシャーシロック機構の構成
図４７に示すように、メカシャーシロック機構１９１は、メカシャーシ１１がディスクチャッキング解除位置にあるときにメカシャーシ１１を筐体２のベースプレート４側に揺動不可能に係止するチャッキング解除時ロック部１９２を備えている。
【００３５】
前記チャッキング解除時ロック部１９２は、メカシャーシ１１の自由端側の略中央部と一側部に設けられた第1，第2の被ロック部１９３，１９４と、チャッキング解除時に前記第1，第2の被ロック部１９３，１９４に係合する第1，第2のロック部１９５，１９６と、で構成されている。
【００３６】
前記第1，第2のロック部１９５，１９６は、後に詳しく説明するディスク重複挿入防止機構１７１のスライド部材１８２に設けられている。前記第1，第2のロック部１９５，１９６の一端部は、傾斜面１９７になっていて、前記スライド部材１８１がディスクチャッキング解除位置に移動してきた時に、前記傾斜面１９７で前記第1，第2の被ロック部１９３，１９４を押し下げるように係合してメカシャーシ１１をディスクチャッキング解除位置にロックしている。なお、図４７はメカシャーシ１１を下面側から見ている状態を表示しているので第1，第2のロック部１９５，１９６によって第1，第2の被ロック部１９３，１９４が押し上げられているように見えるが、実際は図４に示すように第1，第2のロック部１９５，１９６によって第1，第2の被ロック部１９３，１９４は押し下げられている。
【００３７】
また、前記スライド部材１８１がディスクチャッキング解除位置からディスクチャッキング位置に移動すると、図４８に示すように、第1，第2のロック部１９５，１９６と第1，第2の被ロック部１９３，１９４の係合が解除される。そして、前記スライド部材１８１がディスクチャッキング位置にくると前記スライド部材１８１に設けた第３のロック部１９８と、前記第1の被ロック部１９３と、からなるチャッキング時ロック部１９９によって、具体的には前記第３のロック部１９７で前記第1の被ロック部１９３を押し上げるように係合してメカシャーシ１１をディスクチャッキング位置にロックしている。なお、図４８はメカシャーシ１１を下面側から見ている状態を表示しているので第３のロック部１９８によって第1の被ロック部１９３が押し下げられているように見えるが、実際は図５に示すように第３のロック部１９８によって第1の被ロック部１９３は押し上げられている。
【００３８】
（４）ディスク脱落防止機構
ディスク脱落防止機構は、前記ディスク搬送機構により排出されてきたディスクが前記ディスク出入口から脱落しないように保持するためのものである。
【００３９】
図８に示すように、前記ディスク脱落防止機構２０１は、前記ディスク出入口３を塞ぐと共にディスクが通過する切れ目２０２を備えたゲートシート２０３と、該ゲートシート２０３を前記ディスク出入口３側に向けた状態で支持しているゲートシート支持フレーム２０４と、ディスク記録及び／又は再生装置を縦置きにして使用した場合おいて前記ディスクの姿勢を制御してディスクがディスク出入口３から容易に転がり落ちないようにするディスク姿勢制御部材２０５と、を備えている。
【００４０】
前記ゲートシート２０３は、前記切れ目２０２において第１，第２のシート部２１１，２１２に分割されている。また、前記シート支持フレーム２０４は、前記第１のシート部２１１を支持する第１のフレーム部２２１と、前記第２のシート部２１２を支持する第２のフレーム部２２２と、に分割されている。
【００４１】
前記第１，第２のシート部２１１，２１２は、前記第１，第２のフレーム部２２１，２２２に設けた切欠窓部２２１ａ，２２２ａを塞ぐように前記第１，第２のフレーム部２２１，２２２に取付けられていて、これら第１，第２のシート部２１１，２１２の一端部が突合わされて前記切れ目２０２が構成されている。
【００４２】
前記第１，第２のシート部２１１，２１２には、前記切れ目２０２を境にして対向する位置に複数のスリット（切れ目）２１３…２１３が形成されている。これらスリット２１３…２１３は、前記第１，第２のシート部２１１，２１２に捩れ等が発生するのを抑制して前記第１，第２のシート部２１１，２１２に最適なディスク保持力を発生させるためのものであり、スリット２１３…２１３は、前記切れ目２０２の中央部においては短いピッチで、両側部においては粗いピッチで形成されている。最外側のスリット２１３は、１２ｃｍのディスク７の外側に位置していて、ディスク通過時における前記第１，第２のシート部２１１，２１２の捩じれを防止してディスク面を垂直方向から均等に保持するようになっている。
【００４３】
前記ゲートシート２０３、即ち第１，第２のシート部２１１，２１２は、柔軟性に優れた不織布（例えば旭化成株式会社製の商標名「ラムース」）等の布地、あるいは同様の特性を有するプラスチックやゴム等のシート材、フィルム材で形成されていて、前記第１，第２のフレーム部２２１，２２２に取付けられている。
【００４４】
図９、図１０に示すように、前記第１のフレーム部２２１は、ポリエステル等のプラスチックによって細長い矩形状に形成されていて下端側には１２ｃｍのディスク７よりも幅の広い切欠窓部２２１ａが設けられている。また、前記第１のフレーム部２２１の前面には第１のシート部２１１を位置決めするための枠部２２１ｂが設けられていると共に、該枠部２２１ｂの前面の前記切欠窓部２２１ａの上部には複数のボス状の突起２２１ｃが設けられている。また、前記第１のフレーム部２２１の長さ方向の両側部には前記第２のシート部２１２に回動（逃げ移動）可能に取付けるための一対の軸部２２１ｄが設けられている。
【００４５】
前記第１のフレーム部２２１には、前記第１のシート部２１１を前記枠部２２１ｂを利用して前面に重ねて前記複数のボス状の突起２２１ｃを突起挿入孔２２１ｅを貫通させて前記第１のシート部２１１の位置決めを行なった後に、シート押さえプレート２２１ｆで前記第１のシート部２１１の表面を押さえて、該第１のシート部２１１を取付けるようになっている。
【００４６】
前記シート押さえプレート２２１ｆは、プラスチックや金属板等で形成されていて、前記複数のボス状の突起２２１ｃに対応する位置には突起挿入孔２２１ｇを備えている。そして、前記突起挿入孔２２１ｇに前記ボス状の突起２２１ｃを挿入し、これらボス状の突起２２１ｃの先端を加熱するなどして溶融し拡径することにより前記シート押さえプレート２２１ｆは、前記第１のシート部２１１の表面を押さえた状態で前記第１のシート部２１１に取付けられている。
【００４７】
前記シート押さえプレート２２１ｆの下端部は、前記切欠窓部２２１ａの一部を塞ぐように緩やかな逆Ｖ字状の切欠部２２１ｈになっていて、該切欠部２２１ｈから前記第１のシート部２１１の一部が臨んでいる。
【００４８】
図１１に示すように、前記第２のフレーム部２２２は、前記第１のフレーム部２２１と同様にポリエステル等のプラスチックによって細長い矩形状に形成されていて下端部には１２ｃｍのディスク７よりも幅の広い溝２２２ａが設けられている。また、前記第２のフレーム部２２２の前面には第２のシート部２１２を位置決めするための枠部２２２ｂが設けられていると共に、該枠部２２２ｂの前面の前記溝２２２ａの上部には複数のボス状の突起２２２ｃが設けられている。また、前記第２のフレーム部２２２の長さ方向の両側部には前記第１のフレーム部２２１を回動可能に取付けるための一対のアーム２２２ｄが設けられていて、これら一対のアーム２２２ｄの先端には一対の軸受部２２２ｅが設けられている。
【００４９】
前記第２のフレーム部２２２は、前記第２のシート部２１２を前記枠部２２２ｂを利用して前面に重ねて前記複数のボス状の突起２２２ｃを突起挿入孔２２２ｆを貫通させて前記第２のシート部２１２の位置決めを行なった後に、シート押さえプレート２２２ｇで前記第２のシート部２１２の表面を押さえることにより該第２のシート部２１２を取付けるようになっている。
【００５０】
前記シート押さえプレート２２２ｇは、プラスチックや金属板等で形成されていて、前記複数のボス状の突起２２２ｃに対応する位置には突起挿入孔２２２ｈを備えている。そして、前記突起挿入孔２２２ｈに前記ボス状の突起２２２ｃを挿入し、これらボス状の突起２２２ｃの先端を加熱するなどして溶融し拡径することにより前記シート押さえプレート２２２ｇは、前記第２のシート部２１２の表面を押さえた状態で前記第２のフレーム部２２２に取付けられている。
【００５１】
前記シート押さえプレート２２２ｇの上端部は、前記溝２２２ａの一部を塞ぐように緩やかなＶ字状の切欠部２２２ｉになっていて、該切欠部２２２ｉから前記第２のシート部２１２の一部が臨んでいる。
【００５２】
前記第１のフレーム部２２１は、前記一対の軸部２２１ｄを前記第２のフレーム部２２２に設けた一対の軸受部２２２ｅに挿入することにより前記第２のフレーム部２２２に回動可能に取付けられている。第１のフレーム部２２１は、前記第２のフレーム部２２２のアーム部２２２ｄに設けたバネ取付部２２２ｊに取付けた弾性部材としての捩りコイルバネ２２２ｋによって回動力を付与されていて、図８に示すように、前記第２のフレーム部２２２上にこれと垂直に一直線状に重なった状態、所謂閉じた状態になっている。この状態において、前記第１のフレーム部２２１に取付けられたシート押さえプレート２２１ｆの切欠部２２１ｈおよび第２のフレーム部２２２に取付けられたシート押さえプレート２２２ｇの切欠部２２２ｉによって、中央部の厚み幅（縦幅）が最も広く、両端部に行くに従って徐々に厚み幅の狭くなるディスク挿入口２２３（図８参照）が形成されている。前記ディスク挿入口２２３の長さ幅（横幅）は、１２ｃｍのディスク７よりの直径よりも１ｃｍｍ程度長い１３ｃｍｍ前後に形成されている。そして、前記ディスク挿入口２２３の厚み幅方向の中央部において、前記第１のシート部２１１と第２のシート部２１２の端部が突合わされて前記切り口２０２が形成されている。前記第１のフレーム部２２１を取付けた第２のフレーム部２２２は、取付部２２４によって前記筐体２に取付けられている。
【００５３】
前記第１，第２のフレーム部２２１，２２２の外側には、ディスク姿勢制御部材２０５が取付けられている。ディスク姿勢制御部材２０５は、ディスク記録及び／又は再生装置を縦置き状態にして使用した場合においてもエジェクト時にディスクが転がり落ちるのをより確実に防止するためのものである。ディスク記録及び／又は再生装置を縦置き状態にして使用した場合には、ディスクの重力により、ディスクの中心がディスク記録及び／又は再生装置のディスクローディング／排出動作のディスクセンターの軌跡ラインよりも下がってしまう。ディスクが下がるとディスクは、前記端部が突合わされている第１，第２のシート部２１１，２１２の長さ方向の中央部よりも下方に偏った位置で保持されることになる。前述したように前記第１のフレーム部２２１に取付けられたシート押さえプレート２２１ｆの切欠部２２１ｈおよび第２のフレーム部２２２に取付けられたシート押さえプレート２２２ｇの切欠部２２２ｉによって構成されたディスク挿入口２２３の厚み幅は、中央部が最も広く、両端部に行くに従って徐々に狭くなるので前記第１，第２のシート部２１１，２１２のディスク保持力は、下端側が強くなり上端側は弱くなる。
【００５４】
従って、ディスクが下方に偏った侭の状態で排出されて来ると、ディスクは保持力の強い下端側を支点にして、保持力の弱い上端側から回転し、ディスクが前記第１，第２のシート部２１１，２１２の間、即ち切り口２０２から転がり落ちてしまう虞があった。
【００５５】
前記ディスク姿勢制御部材２０５は、ディスク記録及び／又は再生装置を縦置き状態にして使用した場合において前記ディスクの下方への偏りを抑制するものである。
【００５６】
前記ディスク姿勢制御部材２０５は、１２ｃｍのディスク７が通過可能な最低限の幅（ディスク径の最大規格径１２０．３mm＋α（部品や取付公差により決まる寸法ずれ分）を考慮し、実施例では１２１＋０．２／０mmとした。）のディスク挿入口２２５を備えている。
【００５７】
前記ディスク姿勢制御部材２０５は、前記第１のフレーム部２２１に取付けられたシート押さえプレート２２１ｆの切欠部２２１ｈおよび第２のフレーム部２２２に取付けられたシート押さえプレート２２２ｇの切欠部２２２ｉによって構成されたディスク挿入口２２３の長さ方向の中央部に揃えた状態で前記第２のフレーム部２２２に取付けられている。
【００５８】
前記ディスク姿勢制御部材２０５には、位置決め穴２２６とネジ穴２２７が設けられている。一方、前記第２のフレーム部２２２には、位置決めボス２２８とネジ穴２２９が設けられている。そして、前記位置決めボス２２８を前記位置決め穴２２６に挿入して位置決めした状態でネジ２３０によってディスク姿勢制御部材２０５は、第２のフレーム部２２２に取付けられている。
【００５９】
実施例のディスク脱落防止機構２０１は、上述のような構成であって、図１２、図１３に示すように、ディスク挿入時において、ディスク６、７の先端が前記第１，第２のシート部２１１，２１２に当たって押されると、第１のフレーム部２２１は、ディスク出入口を塞いでいる位置から所謂逃げ方向に回動してディスク６、７を通過させる。一方、第２のフレーム部２２２は、固定されているので回動せず、これに取付けられている第２のシート部２１２が撓んでディスク６、７の一方の主面に圧着する。また、ディスク排出時において、図１４に示すように、ディスク６、７の先端がディスク出入口を塞いでいる位置にある第１，第２のシート部２１１，２１２に当たって押されると、前記第１のフレーム部２２１は、ディスク排出方向には回動不可能になっているので、逃げ回動は出来ず、第１のシート部２１１が撓んでディスク６、７の一方の主面に圧着すると共に、第２のフレーム部２２２も、固定されているので回動せず、これに取付けられている第２のシート部２１２が撓んでディスク６、７の他方の主面に圧着して、ディスク６、７が転がり落ちないように保持する。
【００６０】
また、ディスク記録及び／又は再生装置を縦置き状態にして使用した場合においても、重力によるディスク６、７の偏り、特に、１２cmのディスク７の下方への偏りを前記ディスク姿勢制御部材２０５で矯正して、ディスクが転がり落ちるのを防止することができる。
【００６１】
実施例のディスク記録及び／又は再生装置においては、ディスク挿入時にディスク挿入方向に回動したフレーム部を、ディスク挿入後に前記ディスク出入口を塞ぐ位置に強制的に復帰させる弾性部材２２２ｋを設けたので、第１のフレーム部２２１を自重（重力）により自動的に前記ディスク出入口を塞ぐ位置に復帰させることが困難な縦置き使用（仕様）のディスク記録及び／又は再生装置においても、前記第１のフレーム部２２１を前記ディスク出入口を塞ぐ位置に強制的に復帰させることができる。
【００６２】
なお、上記実施例においては、第１のフレーム部２２１を回動させる構成にしたが第２のフレーム部２２２を回動させる構成にしても、或いは第１，第２のフレーム部２２１，２２２を回動させる構成にしてもよい。また、実施例ではフレーム部を回動させて逃げ移動させる構成にしたが回動以外の逃げ移動であってもよい。
【００６３】
（５）ディスク挿入ガイド機構の構成
ディスク挿入ガイド機構は、ディスクの中央部をディスク出入口の中央部に合せた状態でディスクをディスク出入口から筐体内に挿入するためのものである。
【００６４】
図１５に示すように、ディスク挿入ガイド機構３１は、一対の搬送ローラ（以下、第１，第２のローラと称する）３２，３３と、第１，第２のローラ３２，３３を取付けた一対の回動アーム（以下、第１，第２のアームと称する）３４，３５と、第１，第２のアームに回動力を付与している捩りコイルバネ（以下、第１，第２のバネと称する）３６，３７と、第１，第２のアーム３４，３５を同期させて互いに接近、離間する方向に移動させる同期駆動用のギヤ群３８と、を備えている。
【００６５】
前記第１のアーム３４は、略扇形に形成されていて、扇の要の部分が第１の軸４１によって前記天面パネル５のディスク出入口３側の一端部に回動可能に取付けられていると共に、自由端側には前記第１の軸４１を中心にして円弧状のギヤ４２が設けられている。
【００６６】
第１のアーム３４は、前記第１のバネ３６により反時計方向の回動力を付与されて、ディスク出入口３に接近した位置で停止している。この状態において、第１のアーム３４に取付けられている第１のローラ３２は、ディスク出入口３の中心位置ＣＬから所定の距離Ｌ１離れた位置にある。
【００６７】
第２のアーム３５も前記第１のアーム３４と同様に、略扇形に形成されていて、扇の要の部分が第２の軸４３によって前記天面パネル５のディスク出入口側の他端部に回動可能に取付けられていると共に、自由端側には前記第２の軸４３を中心にして円弧状のギヤ４４が設けられている。
【００６８】
第２のアーム３５は、前記第２のバネ３７により時計方向の回動力を付与されて、ディスク出入口３に接近した位置で停止している。この状態において、第２のアーム３５に取付けられている第２のローラ３３は、ディスク出入口３の中心位置ＣＬから所定の距離Ｌ２離れた位置にあり、第１のローラ３２と第２のローラ３３の間隔Ｌ１＋Ｌ２は、８ｃｍ以下になっている。
【００６９】
また、図１６に示すように第１のアーム３４が時計方向に最も回動し、第２のアーム３５が反時計方向に最も回動した状態において、第１のローラ３２と第２のローラ３３の間隔Ｌ３は、１２ｃｍを超えて、第１のローラ３２と第２のローラ３３が１２ｃｍのディスク７と非接触状態になる。
【００７０】
同期駆動用のギヤ群３８は、第１のアーム３４の扇形のギヤ４２に噛合する第１のギヤ５１と、第２のアーム３５の扇形のギヤ４４に噛合する第２のギヤ５２と、これら第１，第２のギヤ５１，５２の間に介在された第３〜第６のギヤ５３〜５６と、からなっている。
【００７１】
そして、前記第１，第２のアーム３４，３５のいずれか一方のアームを回動させると、他方のアームもこれと同期して回動して、第１，第２のアーム３４，３５を、互いに接近、離間する方向に移動させるようになっている。
【００７２】
なお、図１７に示すように、第１，第２のローラ３２，３３は、周面が断面略＜状に形成されていて、ディスク出入口３から挿入されて来たディスク６，７の周縁部の上下のエッジ部８を挟むようになっている。
【００７３】
（６）スイッチ機構の構成
スイッチ機構は、ディスクがディスク出入口から所定の位置まで挿入されたときに、ディスク搬送機構のモータの制御を行う。
【００７４】
図１８〜図２０に示すように、スイッチ機構６１は、第１，第２，第３のスイッチ６２ａ，６２ｂ，６２ｃと、第１，第２のスイッチ６２ａ，６２ｂを順次、押圧操作するスイッチ操作レバー６４と、該スイッチ操作レバー６４を操作する回転カム６５と、該回転カム６５を前記ディスク挿入ガイド機構３１の第２のアーム３５の回動に連動させて回転させる連動ギヤ群６６と、第３のスイッチ６２ｃを押圧操作する第３スイッチ操作部６３を設けた後に詳しく説明する搬送ローラ接離機構１６１の回転カム操作体１６４と、で構成されている。
【００７５】
前記連動ギヤ群６６は、回転カム６５に設けた円弧状のギヤ６７と、該円弧状のギヤ６７に噛合する第７のギヤ６８と、該第７のギヤ６８に噛合する第８のギヤ６９と、を備えている。前記第８のギヤ６９は、前記ディスク挿入ガイド機構３１の第２のギヤ５２に噛合している。
【００７６】
前記回転カム６５は、軸受筒部７０を有していて、該軸受筒部７０内に天面パネル５に設けたカム取付軸（図示省略）を挿入することにより該カム取付軸を中心にして回転可能に天面パネル５に取付けられている。
【００７７】
前記円弧状のギヤ６９は、前記軸受筒部７０を中心として円弧状に形成されている。前記回転カム６５は、円弧状のギヤ６７と第７，第８のギヤ６８，６９とからなる連動ギヤ群６６及び前記同期駆動用のギヤ群３８を介して、前記第１のアーム３４に連動して回動するようになっている。
【００７８】
前記回転カム６５は、前記軸受筒部７０を挟んで前記扇形のギヤ６９と略反対側に第１〜第３のカム面７１〜７３を備えている。
【００７９】
前記スイッチ操作レバー６４は、一端部が軸６４ａにより回動可能にベースプレート側に取付けられている。前記スイッチ操作レバー６４は、中央部に前記回転カム６５の第１〜第３のカム面７１〜７３と接触する円形状の接触部６４ｂが設けられていて、該接触部６４ｂを挟むようにしてその両側部に前記第１のスイッチ６２ａを押圧する第１のスイッチ操作部６４ｃと前記第２のスイッチ６２ｂを押圧する第１のスイッチ操作部６４ｄとが設けられている。
【００８０】
図１８に示すように、ディスクがディスク出入口３に挿入される前には、前記第１のカム面７１に前記スイッチ操作レバー６４の接触部６４ｂが接触して、第１のスイッチ６２ａ及び第２のスイッチ６２ｂをＯＦＦ状態に保つ。
【００８１】
図１９に示すように、ディスクがディスク出入口３から挿入されて来て、ディスクにより第１，第２のアーム３４，３５が所定の距離以上開いたときに前記第２のカム面７２に前記スイッチ操作レバー６４の接触部６４ｂが接触して、前記第１のスイッチ操作部６４ｃで第１のスイッチ６２ａをＯＮ状態にし、前記第２のスイッチ操作部６４ｄで第２のスイッチ６２ｂをＯＦＦ状態に保つ。
【００８２】
図２０に示すように、第１，第２のアーム３４，３５が更に所定の距離以上開いたとき、具体的には１２ｃｍのディスクを挿入した場合に前記第３のカム面７３に前記スイッチ操作レバー６４の接触部６４ｂが接触して、前記第１のスイッチ操作部６４ｃで第１のスイッチ６２ａをＯＮ状態にし、前記第２のスイッチ操作部６４ｄで第２のスイッチ６２ｂをＯＮ状態にする。
【００８３】
また、図３６に示すように、後述する搬送ローラ接離機構１６１の回転カム操作体１６４をスライドさせて前記第１のアーム３４と第２のアーム３５をディスクの周面から離して、ディスクを回転フリーの状態にすると、前記回転カム操作体１６４に設けた第３スイッチ操作部６３で前記第３のスイッチ６２ｃをＯＮ状態にする。
【００８４】
次に前記スイッチ機構６１を使用しての前記ディスク搬送機構９１のモータ９２の制御について説明する。
【００８５】
図３７は前記スイッチ機構６１の作用を示すタイミングチャートと各信号の組み合わせを示す図、図３８は図３７の要部（円形部分）の拡大図、図３９はモータの制御ブロック図、図４０は各信号の高低（Ｈ，Ｌ）とアウトプット（Ｓｔａｔｅ）の関係を示す表図である。
【００８６】
第１，第２，第３のスイッチ６２ａ，６２ｂ，６２ｃは、ディスク挿入前のエジェクトエンド状態においてはＯＦＦ状態にある。
【００８７】
第１のスイッチ６２ａは、ディスクが所定の位置まで挿入されると、ＯＮ状態になる。また、第１のスイッチ６２ａは、ＥＪＥＣＴ  ＥＮＤ（ディスク排出終了）時にＯＦＦ状態になる。
【００８８】
第２のスイッチ６２ｂは、ＤＲＡＷ（ディスク挿入）の途中でＯＮ状態になる（８ｃｍのディスクを挿入した場合にはＯＮ状態にならず１２ｃｍのディスクを挿入した場合にＯＮ状態になる）。また、第２のスイッチ６２ｂは、ＥＪＥＣＴ  ＥＮＤの手前でＯＦＦ状態になる。
【００８９】
第３のスイッチ６２ｃは、ディスクチャッキング終了後に搬送ローラをディスクから離間させてディスクを回転フリーにしたＣＨＵＣＫ  ＥＮＤ時にＯＮ状態になる。また、第３のスイッチ６２ｃは、ディスクのチャッキング解除後にＯＦＦ状態になる。なお、ＣＴＬはモータ９２のＯＮ，ＯＦＦ制御信号、ＲＥＶおよびＦＷＤはモータ９２の回転方向やブレーキの制御信号、ＭｏｔｏｒＶｏｌｔａｇｅはモータ９２の電圧を示す。
【００９０】
ＦＷＤ信号がＨ（Ｈｉｇｈ）で、ＲＥＶ信号がＬ（Ｌｏｗ）の場合にはディスクのＤＲＡＷが行われる。ＦＷＤ信号がＬで、ＲＥＶ信号がＨの場合にはディスクのＥＪＥＣＴが行われる。ＦＷＤ信号がＬで、ＲＥＶ信号がＬの場合にはＢｒａｋｅが掛けられる。ＦＷＤ信号がＬで、ＲＥＶ信号がＬの場合にはＦｒｅｅ状態になる。
【００９１】
前記Ｆｒｅｅ状態は、第２のスイッチ６２ｂがＯＦＦ状態になってから第１のスイッチ６２ａがＯＦＦ状態になるまでのＤｕｔｙ３３％の範囲である。この範囲においては、図３７、図３８に示すように、ＲＥＶ信号は、８ｍｓｅｃと４ｍｓｅｃでＬとＨを交互に発信して、モータ９２を断続的にＯＮ，ＯＦＦする。従って、モータ９２は回転駆動の電圧を維持したままの状態でモータ９２によるディスクの搬送速度を減速させてディスクがディスク挿入口から飛び出るのを防止する。
【００９２】
（７）ディスクセンタリング部材の構成
ディスクセンタリング部材は、ディスク出入口から挿入されて来たディスクの中心部をディスクテーブル上に位置させるためのものであり、直径の異なるディスク、例えば、８ｃｍのディスクを挿入した場合にも、１２ｃｍのディスクを挿入した場合にも、これらディスクの中心部をディスクテーブルの略真上に位置させることができるようにすると共に、直径の違うディスクでもセンタリング終了後にギヤ切換機構を押圧操作することができるようにしたものである。
【００９３】
図２１、図２２に示すように、ディスクセンタリング部材８１は、一端側にディスク当接部８２を有し、他端側に後に説明するギヤ切換機構１３１のラック１３４を押圧操作する操作部８３を有し、これらディスク当接部８２と操作部８３の間が軸８４により回転可能に枢支されている。そして、次に説明するディスク搬送機構９１により搬送されてきたディスクが前記ディスク当接部８２に当接して該ディスク当接部８２が押圧されると前記軸８４を中心に回動しディスクの中央部がディスクテーブル１２の略真上にくると前記回転カム６５に設けたスットパー８５によって回動が停止して前記ディスク当接部８２でディスクの位置決めを行なうようになっている。
【００９４】
前記ディスク当接部８２は、８ｃｍのディスク６が搬送されてきたときに該ディスク６が当接してディスクセンタリング部材８１を前記８ｃｍのディスク６がセンタリングされる位置まで所定量回動させる第１のディスク当接部８２Ａと、１２ｃｍのディスク７が搬送されてきたときに該ディスク７が当接してディスクセンタリング部材８１を前記第１のディスク当接部８２Ａと同量回動させる第２のディスク当接部８２Ｂと、で構成されている。
【００９５】
前記第１のディスク当接部８２Ａと第２のディスク当接部８２Ｂは、前記軸８４からの距離及び回転方向の位相を変えることにより８ｃｍのディスク６と１２ｃｍのディスク７の直径の差を補正して、これら８ｃｍのディスク６と１２ｃｍのディスク７をセンタリングするまでのディスクセンタリング部材８１を回動量を略等しくし、かつ第１のディスク当接部８２Ａには１２ｃｍのディスク７が干渉（接触）せず、第２のディスク当接部８２Ｂには８ｃｍのディスク７が干渉しないようになっている。
【００９６】
ディスクセンタリング部材８１は、前記軸８４を前記回転カム６５に設けた軸受８６に挿入することにより前記回転カム６５上に回動可能に取付けられている。また、ディスクセンタリング部材８１は、前記軸８４を中心にして円弧状に形成された長孔８７を有していて、該長孔８７内に前記回転カム６５に設けた軸受筒部７０を挿入することにより、前記長孔８７の範囲内で前記軸８４を中心に回動可能になっている。
【００９７】
前記第１のディスク当接部８２Ａと第２のディスク当接部８２Ｂは、前記軸８４を中心にして前記長孔８７と略反対側に設けられている。前述したように、前記第１のディスク当接部８２Ａには、ディスク出入口３から挿入されて来た８ｃｍのディスク６の先端部の近傍が当接し、第２のディスク当接部８２Ｂには、ディスク出入口３から挿入されて来た１２ｃｍのディスク７の先端部が当接するようになっている。
【００９８】
第１のディスク当接部８２Ａは、第２のディスク当接部８２Ｂよりも前記軸８４から離れた位置に形成されている。第２のディスク当接部８２Ｂは、第１のディスク当接部８２Ａよりも前記軸８４に近い位置で、且つ８ｃｍのディスク７が接触しない位置に形成されている。そして、前記軸８４から第１のディスク当接部８２Ａまでの距離と第２のディスク当接部８２Ｂまでの距離の差は、８ｃｍのディスク６と１２ｃｍのディスク７のセンタリング終了までのディスクセンタリング部材８１の回動量が略同じになるように設定されている。
【００９９】
前記長孔８７の一端部には半円筒状の突起８８が設けられている。前記半円筒状の突起８８の上端には、前記長孔８８を覆うように庇状の舌片８９が設けられていて、該舌片８９の先端部に前記操作部８３が設けられていて、該操作部８３で後に説明するギヤ切換機構１３１のラック１３４を押圧操作するようになっている。
【０１００】
図２３に示すように、次に説明するディスク搬送機構９１によりディスク出入口から搬送されて来た８ｃｍのディスク６の先端部が第１のディスク当接部８２Ａに当接すると、ディスクセンタリング部材８１は押されて前記軸８４を中心にして反時計方向に回動する。
【０１０１】
図２４に示すように、前記８ｃｍのディスク６の中央部が前記ディスクテーブル１２の略真上まで移動して来ると、ディスクセンタリング部材８１は、ストッパー８５により更なる回動を阻止されて、８ｃｍのディスク６の位置決めを行なうと共に、前記操作部８３でギヤ切換機構１３１のラック１３４を押圧操作する。
【０１０２】
また、図２５に示すように、ディスク搬送機構９１により搬送されて来た１２ｃｍのディスク７の先端部の近傍で第２のディスク当接部８２Ｂが押圧されると、ディスクセンタリング部材８１は、前記軸８４を中心にして反時計方向に回動する。
【０１０３】
図２６に示すように、前記１２ｃｍのディスク７の中央部が前記ディスクテーブル１２の略真上まで移動して来ると、ディスクセンタリング部材８１は、ストッパー８５により更なる回動を阻止されて、１２ｃｍのディスク７の位置決めを行なうと共に、前記操作部８３でギヤ切換機構１３１のラック１３４を押圧操作する。
【０１０４】
（８）ディスク搬送機構の構成
ディスク搬送機構は、ディスク出入口３に挿入されたディスクの搬送を行なうものである。
【０１０５】
図２７、図２８に示すように、ディスク搬送機構９１は、前記スイッチ機構６１により駆動操作されるモータ９２と、該モータ９２の回転を前記第１のローラ３２及び第２のローラ３３に伝達する回転伝達部９３と、を備えている。
【０１０６】
回転伝達部９３は、ベースプレート４に設けられたベースプレート側の回転伝達部９４（図２７）と、天面パネル５に設けられた天面パネル側の回転伝達部９５（図２８）と、からなっている。
【０１０７】
図２７に示すように、ベースプレート側の回転伝達部９４は、モータ９２の軸に設けられた第１のプーリ９６と、該第１のプーリ９６に一端側を掛けられたエンドレスベルト９７と、該エンドレスベルト９７の他端側が掛けられた第２のプーリ９８と、該第２のプーリ９８の回転軸に設けられた第１１のギヤ９９と、該第１１のギヤ９９に噛合している第１２のギヤ１００と、該第１２のギヤ１００と一体に形成された第１３のギヤ１０１と、該第１３のギヤ１０１に噛合している第１４のギヤ１０２と、該第１４のギヤ１０２に噛合している第１５のギヤとしての揺動ギヤ１０３と、該第１５のギヤとしての揺動ギヤ１０３が噛合可能な第１６のギヤ１０４と、該第１６のギヤ１０４に噛合している第１７のギヤ１０５と、該第１７のギヤ１０５に噛合している第１８のギヤ１０６と、該第１８のギヤ１０６に噛合している第１９のギヤ１０７と、該第１９のギヤ１０７に噛合している第２０のギヤ１０８と、該第２０のギヤ１０８に噛合している第２１のギヤ１０９と、該第２１のギヤ１０９に噛合している第２２のギヤ１１０と、前記第１６のギヤ１０４に噛合している第２３のギヤ１１１と、を備えている。
【０１０８】
前記第２２のギヤ１１０は、前記第１のアーム３４の回動中心である第１の軸４１の外周に回転自在に取付けられ、前記第２３のギヤ１１１は、前記第２のアーム３５の回動中心である第２の軸４３の外周に回転自在に取付けられている。
【０１０９】
前記第１５のギヤとしての揺動ギヤ１０３は、軸１１２を中心に揺動可能なギヤ支持部材１１３に取付けられている。前記ギヤ支持部材１１３は、ボス状の凸部１１４を備えていて、該ボス状の凸部１１４が、後に説明するギヤ切換機構１３１のギヤ切換部材に設けたカム溝１３８に係合している。前記ギヤ支持部材１１３は、前記ギヤ切換部材のスライドにより前記軸１１２を中心に回動して前記第１５のギヤとしての揺動ギヤ１０３を前記第１６のギヤ１０４に噛合させた状態と噛合を解除した状態に変位させるようになっている。
【０１１０】
図２８に示すように、天面パネル５側の回転伝達部９５は、前記第１のアーム３４の回動中心である第１の軸４１の外周に回転自在に取付けられた第２４のギヤ１１５と、該第２４のギヤ１１５に噛合している第２５のギヤ１１６と、該第２５のギヤ１１６に噛合している第２６のギヤ１１７と、該第２６のギヤ１１７に噛合している第２７のギヤ１１８と、前記第２のアーム３５の回動中心である第２の軸４３の外周に回転自在に取付けられた第２８のギヤ１１９と、該第２８のギヤ１１９に噛合している第２９のギヤ１２０と、該第２９のギヤ１２０に噛合している第３０のギヤ１２１と、該第３０のギヤ１２１に噛合している第３１のギヤ１２２と、を備えている。前記天面パネル５側の回転伝達部９５は、図６に示すように、前記ディスクチャッキング機構２１のチャッキング部材支持アーム２３を天面パネル５上に所定の傾斜角度で起き上がらせた状態におけるチャッキング部材支持アーム２３の高さの範囲内に配置されている
そして、前記モータ９２を回転させると、前記ベースプレート側の回転伝達部９４及び天面パネル側の回転伝達部９５を介して前記第１のローラ３２及び第２のローラ３３が回転してディスクの搬送を行なうようになっている。
【０１１１】
（９）ギヤ切換機構の構成
ギヤ切換機構は、前記ディスク搬送機構９１のモータ９２で次に説明するメカシャーシ昇降機構１５１を昇降させてディスクのチャッキング及びチャッキングの解除を行なうものである。換言するとディスク搬送機構９１の駆動に使用していたモータ９２の動力をメカシャーシ昇降機構の駆動に切換えるためのものである。
【０１１２】
図２９に示すように、前記ギヤ切換機構１３１は、前記ディスク搬送機構９１の回転伝達部のギヤ群を構成する第１４のギヤ１０２と一体のピニオンギヤ１３２に噛合可能なラック１３４と、該ラック１３４によってスライド駆動されるギヤ切換部材１３５と、を備えている。
【０１１３】
前記ラック１３４は、ディスクがディスク搬送機構９１によりディスクテーブル１２上に搬送されて来たときに前記ディスクセンタリング部材８１の操作部８３で押圧されてスライドして前記ピニオンギヤ１３２と噛合する直線状のギヤ１３３を備えている。
【０１１４】
前記ラック１３４とギヤ切換部材１３５とは、長孔１３６とピン１３７によって連結されていて、前記ラック１３４がスライドしてピン１３７が長孔１３６の端部に当接するとラック１３４とギヤ切換部材１３５とは一体的にスライドするようになっている。
【０１１５】
前記ギヤ切換部材１３５は、前記ディスク搬送機構９１の回転伝達部のギヤ群を構成する第１５のギヤとしての揺動ギヤ１０３を前記第１６のギヤ１０４に噛合させる第１の位置と、前記第１６のギヤ１０４との噛合を解除する第２の位置との間で移動させる揺動ギヤ切換用のカム溝１３８を備えている。
【０１１６】
前記揺動ギヤ切換用のカム溝１３８は、ギヤ切換部材１３５のスライド方向に伸びて前記揺動ギヤ１０３を第１の位置に保持する第１の溝部１３９と、該第１の溝部１３９の一端部に連続して前記揺動ギヤ１０３を第１の位置から第２の位置に移動させる傾斜状の第２の溝部１４０と、該第２の溝部１４０の一端部に連続してギヤ切換部材１３５のスライド方向に伸びて前記揺動ギヤ１０３を第２の位置に保持する第３の溝部１４１と、を備えている。前記ギヤ支持部材１１３に設けたボス状の凸部１１４が前記第１の溝部１３９内に位置しているときに前記第１５のギヤとしての揺動ギヤ１０３を第１６のギヤ１０４に噛合させている。
【０１１７】
ギヤ切換機構１３１は、上述のような構成であって、図３０に示すように、ディスクがディスク出入口から筐体内に挿入される前は、前記ギヤ支持部材１１３に設けたボス状の凸部１１４が前記第１の溝部１３９内に位置していて前記揺動ギヤ１０３を第１６のギヤ１０４に噛合させている。
【０１１８】
そして、ディスクがディスク出入口３から筐体２内に挿入されて、ディスク搬送機構９１のスイッチが入り、ディスク搬送機構９１によりディスクが筐体内に搬送されて該ディスクの先端部でディスクセンタリング部材８１が押されて回動すると、図３１に示すように、ディスクセンタリング部材８１の庇状の舌片８９に設けた操作部８３で前記ラック１３４を押圧する。押圧されたラック１３４は、所謂トリガーが引かれた状態になって、ラック１３４のギヤ１３３が前記ディスク搬送機構９１の第１４のギヤ１０２と一体のピニオンギヤ１３２と噛合し該ピニオンギヤ１３２の回転によってスライドする。
【０１１９】
前記ラック１３４が所定量スライドすると、図３２に示すように、前記長孔１３６の端部にピン１３７が当接してラック１３４と共にギヤ切換部材１３５がスライドする。ギヤ切換部材１３５が所定量スライドすると、前記ギヤ支持部材１１３に設けたボス状の凸部１１４は、前記第１の溝部１３９内から第２の溝部１４０を介して第３の溝部１４１内に移動する。
【０１２０】
前記ギヤ支持部材１１３に設けたボス状の凸部１１４が前記第２の溝部１４０を通って第３の溝部１４１に移動するのであるがこの時に、ギヤ支持部材１１３は、軸１１２を中心にして回動して第１５のギヤとしての揺動ギヤ１０３と第１６のギヤ１０４の噛合を外す。従って、ディスク搬送機構９１の回転伝達機構９３の連繋が遮断されて、前記モータ９２による第１のローラ３２及び第２のローラ３３が回転は阻止される。そして、図３３に示すように、前記ボス状の凸部１１４が第３の溝部１４１内を移動する間にメカシャーシ１１の昇降等を行なう。
【０１２１】
（１０）メカシャーシ昇降機構の構成
メカシャーシ昇降機構は、ディスクセンタリング部材で前記ディスクテーブルの略真上に位置決めされたディスクに向けてメカシャーシを上昇させ、、該メカシャーシに搭載されているディスクテーブル上にディスクをチャッキングさせ、ディスクへの記録及び／又は再生終了後は、メカシャーシを下降させてディスクのチャッキングを解除し、ディスクをエジェクト可能にする。
【０１２２】
図３４に示すように、メカシャーシ昇降機構１５１は、一端部を枢支軸１４によりベースプレート４に回動可能に取付けられているメカシャーシ１１の自由端側に設けたカム係合凸部１５２を前記ギヤ切換部材１３５の側面に設けたメカシャーシ昇降操作用のカム溝１５３に係合させることにより構成されている。
【０１２３】
前記メカシャーシ昇降操作用のカム溝１５３は、メカシャーシ１１を下降位置（ディスクチャッキング解除位置）に保持する第１のカム溝部１５４と、該第１のカム溝部１５４の一端部に連続していてメカシャーシ１１を下降位置から上昇させる第２のカム溝部１５５と、該第２のカム溝部１５５の一端部に連続していてメカシャーシ１１を上昇位置（ディスクチャッキング位置）に保持する第３のカム溝部１５６と、を備えている。
【０１２４】
ディスクがディスク出入口から筐体内に挿入される前は、図３４に示すように、メカシャーシ１１に設けたカム係合凸部１５２が前記第１のカム溝部１５４内に位置してメカシャーシ１１を下降位置（ディスクチャッキング解除位置）に保持している。
【０１２５】
そして、ディスクがディスク出入口から筐体内に挿入されて、ディスク搬送機構９１のスイッチが入り、前記ラック１３４と共にギヤ切換部材１３５が所定量スライドすると、図３５に示すように、メカシャーシ１１に設けたカム係合凸部１５２が前記第１の溝部１５４内から第２の溝部１５５を介して第３の溝部１５６内に移動して、メカシャーシ１１を上昇位置（ディスクチャッキング位置）に保持する。
【０１２６】
（１１）搬送ローラ接離機構の構成
搬送ローラ接離機構は、ディスクチャッキング終了後に搬送ローラをディスクから離間させてディスクを回転フリーの状態にしてディスクへの記録及び／又は再生を行い、エジェクト時には、搬送ローラをディスクに接触させるためのものである。
【０１２７】
図３０に示すように、搬送ローラ接離機構１６１は、前記ギヤ切換部材１３５の端部に長孔１６２とピン１６３とによって該長孔１６２の長さの範囲内でスライド可能に取付けられている回転カム操作体１６４と、該回転カム操作体１６４に設けられていて前記ギヤ切換部材１３５に設けた突起１６５が係合する第1，第2の突起係合部１６６，１６７と、前記スイッチ機構６１の回転カム６５に設けたローラ接離用の突起１６８と、からなっている。
【０１２８】
そして、図３３に示すように、ディスクチャッキング終了後において、ギヤ切換部材１３５が継続的に移動すると、該ギヤ切換部材１３５のスライドによって、図３６に示すように、前記突起１６５が第2の突起係合部１６７に係合して回転カム操作体１６４をスライドさせる。前記回転カム操作体１６４がスライドすると該回転カム操作体１６４の端部に設けた突起係合部１６９が前記ローラ接離用の突起１６８に係合して前記回転カム６５を回転させる。
【０１２９】
回転カム６５が回転すると、前記ディスク挿入ガイド機構３１の同期駆動用のギヤ群３８を介して前記第１のアーム３４と第２のアーム３５を互いに離間する方向に回動させて、これら第１のアーム３４と第２のアーム３５をディスクの周面から離して、ディスクを回転フリーの状態にする。なお、前記長孔１６２とピン１６３によって回転カム操作体１６４をギヤ切換部材１３５に相対移動可能に取付けたのはクチャッキング終了後において、搬送ローラをディスクに対して接離させる場合以外は回転カム６５に干渉しないようにするためである。
【０１３０】
（１２）ディスク重複挿入防止機構の構成
ディスク重複挿入防止機構は、ディスクが既に筐体内に挿入されている場合においてディスク出入口を遮断してディスクが既に筐体内に挿入されていることを知らしめると共に、他のディスクを挿入不可能にするものであり、ディスク出入口の略中央部に設けられている。
【０１３１】
図４１、図４２に示すように、ディスク重複挿入防止機構１７１は、ディスク出入口３を遮断可能なディスク挿入阻止部材１７２と、該ディスク挿入阻止部材１７２をディスク出入口３を遮断する位置に付勢している付勢部材１７３と、該付勢部材１７３の付勢力に抗してディスク挿入阻止部材１７２をディスク出入口３を遮断する位置からディスク出入口３を開放する位置に移動させるディスク挿入阻止部材操作機構１７４と、を備えている。
【０１３２】
前記ディスク挿入阻止部材１７２は、ディスク出入口３の中央部に出し入れされる阻止部材本体部１７５と、該阻止部材本体部１７５を先端部に設けた基部１７６と、を備えていて、基部１７６が軸１７７によって前記ベースプレート４に回動可能に取付けられている。そして、前記軸１７７を中心にして基部１７６を一方向に回動させると、該基部１７６の先端部に設けた阻止部材本体部１７５がベースプレート４に設けた孔部１７８からディスク出入口３内に侵入して該ディスク出入口３の中央部を遮断するようになっている。前記ディスク挿入阻止部材１７２は、合成樹脂により一体的にモールド成形されていて、前記ディスク出入口３の中央部を遮断した状態において、挿入しようとするディスクによって押圧されると、前記阻止部材本体部１７５の先端部と基端部は、天面パネル側の開閉部材受け部１７９ａとベースプレート側の開閉部材受け部１７９ｂに押し付けられてディスクの重複挿入を阻止するようになっている。
【０１３３】
前記付勢部材１７３は、一端部が前記基部１７６に係止され、他端部がベースプレート４に係止されていて、前記ディスク挿入阻止部材１７２に軸１７７を中心とする反時計方向の回動力を付与し、前記阻止部材本体部１７５をベースプレート４に設けた孔部１７８からディスク出入口３内に侵入させている。前記付勢部材１７３には、コイルスプリングが使用されている。
【０１３４】
図４３に示すように、前記ディスク挿入阻止部材操作機構１７４は、前記基部１７６とベースプレート４の間に侵入して前記基部１７６を前記付勢部材１７３の付勢力に抗して押圧する細長い略台形状の凸部１８０を備えた押圧操作部１８１と、該押圧操作部１８１を設けたスライド部材１８２と、該スライド部材１８２の一側面に設けたラック状のギヤ１８３に噛合しているピニオン１８４と、を備えている。前記ピニオン１８４は、前記ギヤ切換部材１３５に設けたラック状のギヤ１８５に噛合している。
【０１３５】
ディスクがディスク出入口３から筐体内に挿入される前は、図４２〜図４４に示すように、前記台形状の凸部１８０は、前記基部１７６とベースプレート４の間に侵入し、前記基部１７６を前記付勢部材１７３の付勢力に抗して前記基部１７６を押圧して、前記阻止部材本体部１７５をディスク出入口３から抜き出してディスク出入口３を開放している。
【０１３６】
ディスクをディスク出入口３から筐体内に挿入すると、前述したように前記モータ９２のスイッチが入り、ディスク搬送機構９１によりディスクが搬送されてディスクセンタリング部材８１が回動し、該ディスクセンタリング部材８１で前記ラック１３４が押圧され、これがトリガーとなってギヤ切換部材１３５がスライドすると共に、該ギヤ切換部材１３５に設けた直線状のギヤ１８５に噛合しているピニオン１８４が回転し、該ピニオン１８４にラック状のギヤ１８３が噛合している前記スライド部材１８２も前記ギヤ切換部材１３５に連動してスライドする。そして、ギヤ切換部材１３５が、その側面に設けたメカシャーシ昇降操作用のカム溝１５３でメカシャーシ１１をディスクチャッキング位置に上昇させる位置までスライドして来ると、図４１及び図４５、図４６に示すように、前記スライド部材１８１は、前記押圧操作部１８１の台形状のカム部１８０が前記基部１７６とベースプレート４の間から抜け出て前記基部１７６の押圧を解除する。従って、前記基部１７６は、前記付勢部材１７６の付勢力によって回動して、阻止部材本体部１７５がベースプレート４に設けた孔部１７８からディスク出入口３内に侵入して該ディスク出入口３の中央部を塞ぐのである。上記実施例では阻止部材本体部１７５と基部１７６を合成樹脂で形成した場合を示したが、阻止部材本体部１７５に金属製のピンを使用し、該金属製のピンを合成樹脂製の基部１７６に植立させてもよい。
【０１３７】
（１３）作用
次に、前記ディスク記録及び／又は再生装置の作用を８ｃｍのディスクを挿入した場合と、１２ｃｍのディスクを挿入した場合とに分けて説明する。
【０１３８】
８ｃｍのディスクを挿入した場合
図１２、図１３および図４９に示すように、８ｃｍのディスク６をディスク脱落防止機構２０１のディスク姿勢制御部材２０５のディスク挿入口２２５から挿入すると、８ｃｍのディスク６の先端が前記ディスク脱落防止機構２０１の第１，第２のシート部２１１，２１２に当たって押され、第１のフレーム部２２１は、逃げ方向に回動して８ｃｍのディスク６を通過させる。一方、第２のフレーム部２２２は、固定されているので回動せず、これに取付けられている第２のシート部２１２が撓んで８ｃｍのディスク６の一方の主面に圧着する。８ｃｍのディスク６を更に挿入すると、その先端部が前記第１のローラ３２と第２のローラ３３の周面に当たる。
【０１３９】
８ｃｍのディスク６を更に挿入すると、前記第１のローラ３２と第２のローラ３３の間隔が押し広げられて行って、前記第１のアーム３４と第２のアーム３５が互いの間隔を広げるように回動する。このとき前記第１，第２のローラ３２，３３が８ｃｍのディスク６の周面に所謂食い付いた状態になる。前記第１のアーム３４、第２のアーム３５の回動により前記連動ギヤ群６６を介してスイッチ機構６１の回転カム６５が回転し、該回転カム６５に設けた第２のカム面７２で第１のスイッチ６２ａをＯＮ状態にする。第１のスイッチ６２ａがＯＮされると、ディスク搬送機構９１のモータ９２が回転し、前記回転伝達部９３を介してモータ９２の回転を前記第１のローラ３２及び第２のローラ３３に伝達する。
【０１４０】
前記第１のローラ３２及び第２のローラ３３の回転により８ｃｍのディスク６は、筐体内に搬送されて行く。８ｃｍのディスク６が所定の位置まで搬送されてその先端部が第１のディスク当接部８２Ａに当接してこれを押すと、ディスクセンタリング部材８１は、前記軸８４を中心にして反時計方向に回動する。そして、前記８ｃｍのディスク６の中央部が前記ディスクテーブル１２の略真上に移動して来ると、ディスクセンタリング部材８１は、ストッパー８５により更なる回動を阻止されて、８ｃｍのディスク６の位置決めが行われる。
【０１４１】
前記ディスクセンタリング部材８１が回動したときに、該ディスクセンタリング部材８１の庇状の舌片８９に設けた操作部８３でラック１３４を押圧する。この押圧がトリガーとなって、ラック１３４は、前記ディスク搬送機構９１の第１４のギヤ１０２と一体の小径ギヤ１３２と噛合してスライドする。
【０１４２】
前記ラック１３４が所定量スライドすると、前記長孔１３６の端部にピン１３７が当接してラック１３４と共にギヤ切換部材１３５がスライドする。ギヤ切換部材１３５が所定量スライドすると、前記ギヤ支持部材１１３に設けた軸１３８は、前記第１の溝部１４０内から第２の溝部１４１を介して第３の溝部１４２内に移動する。
【０１４３】
前記ギヤ支持部材１１３に設けた軸１３８が前記第３の溝部１４２内に移動することによって、ギヤ支持部材１１２は、軸１３８を中心に回動して第１５のギヤ１０３と第１６のギヤ１０４の噛合を外す。従って、ディスク搬送機構９１の回転伝達部９３の連繋は遮断されて、前記モータ９２による第１のローラ３２及び第２のローラ３３が回転は阻止される。
【０１４４】
ディスク搬送機構９１の回転伝達部９３の連繋が遮断された場合でも、前記モータ９２の回転は、前記第１のプーリ９６、該第１のプーリ９６に一端側を掛けられたエンドレスベルト９７、該エンドレスベルト９７の他端側が掛けられた第２のプーリ９８、該第２のプーリ９８の回転軸に設けられた第１１のギヤ９９、該第１１のギヤ９９に噛合している第１２のギヤ１００、該第１２のギヤ１００に噛合している第１３のギヤ１０１、該第１３のギヤ１０１に噛合している第１４のギヤ１０２、該第１４のギヤ１０２と一体の小径ギヤ１３２及びラック１３４を介してギヤ切換部材１３５に伝達され、該ギヤ切換部材１３５をスライドさせる。
【０１４５】
ギヤ切換部材１３５がスライドすると、前記メカシャーシ４の自由端側に設けたカム係合凸部１５２が前記ギヤ切換部材１３５の側面に設けられているメカシャーシ昇降操作用のカム溝１５３の第２のカム溝部１５５を介して第３のカム溝部１５６内に導入されてメカシャーシ４をディスクチャッキング位置に上昇させる。メカシャーシ４がディスクチャッキング位置に上昇すると、メカシャーシ４に設けた突起（図示省略）で前記アーム操作部材２７を操作して、該アーム操作部材２７によるチャッキング部材支持アーム２３の押圧を解除すると、チャッキング部材支持アーム２３は、捩りコイルバネ２８のバネ力で下降して天面パネル５の上面に重なる。このようなメカシャーシ４の上昇と、チャッキング部材支持アーム２３の下降によって、８ｃｍのディスク６は、ディスクテーブル１２上に載置されると共に、ディスクテーブル１２側に磁気吸着されたチャッキング部材２２によってディスクテーブル上にマグネットチャッキングされた状態になる。一方、前記ギヤ切換部材１３５のスライドによりラック状のギヤ１８５、ピニオン１８４、ラック状のギヤ１８３を介してスライド部材１８２がスライドし、該スライド部材１８２に設けた押圧操作部１８１の台形状のカム部１８０が前記基部１７６とベースプレート４の間から抜け出て前記基部１７６の押圧を解除することにより、前記阻止部材本体部１７５は、付勢部材１７３としてのコイルスプリングのバネ力でベースプレート４に設けた孔部１７８からディスク出入口３の内側に侵入して該ディスク出入口３の中央部を塞ぐと共に、前記メカシャーシロック機構１９１のチャッキング時ロック部１９９でメカシャーシ１１をディスクチャッキング位置にロックする。
【０１４６】
８ｃｍのディスク６がディスクテーブル１２上にマグネットチャッキングされたのち、前記ギヤ切換部材１３５が更にスライドすると、図３６に示すように、前記ギヤ切換部材１３５に組付けた回転カム操作体１６４の端部に設けた突起係合部１６９が回転カム６５に設けたローラ接離用の突起１６８に係合して回転カム６５を回転させると共に、前記ギヤ切換部材１３５に設けた前記回転カム操作体１６４に設けた第３スイッチ操作部６３で前記第３のスイッチ６２ｃをＯＮ状態にする。
【０１４７】
回転カム６５の回転により、前記ディスク挿入ガイド機構３１の同期駆動用のギヤ群３８を介して前記第１のアーム３４と第２のアーム３５を互いに離間する方向に回動させて、図５０に示すように、前記第１のアーム３４と第２のアーム３５を８ｃｍのディスク６の周面から離して、該ディスクを回転フリーの状態にする。そして、８ｃｍのディスクの記録及び／又は再生を行なう。
【０１４８】
記録及び／又は再生終了後に、エジェクト釦を押すと前記モータ９２が逆転して、前記ディスク挿入時とは、逆の動作が行われて８ｃｍのディスク６は、ディスク出入口３側に排出される。ディスク排出時において、図１４に示すように、ディスクの先端がディスク出入口を塞いでいる位置にある第１，第２のシート部２１１，２１２に当たって押されると、前記第１のフレーム部２２１は、ディスク排出方向には回動不可能になっているので、逃げ回動は出来ず、第１のシート部２１１が撓んで８ｃｍのディスク６の一方の主面に圧着すると共に、第２のフレーム部２２２も、固定されているので回動せず、これに取付けられている第２のシート部２１２が撓んで８ｃｍのディスク６の他方の主面に圧着して、８ｃｍのディスク６が転がり落ちないように保持する。そして、前記メカシャーシロック機構１９１のチャッキング解除時ロック部１９２でメカシャーシ１１をディスクチャッキング解除位置にロックする。
【０１４９】
１２ｃｍのディスクを挿入した場合
８ｃｍのディスク６の場合と同様、図１２、図１３および図５１に示すように、１２ｃｍのディスク７をディスク脱落防止機構２０１のディスク姿勢制御部材２０５のディスク挿入口２２５から挿入すると、１２ｃｍのディスク７の先端が前記ディスク脱落防止機構２０１の第１，第２のシート部２１１，２１２に当たって押され、第１のフレーム部２２１は、逃げ方向に回動して１２ｃｍのディスク７を通過させる。一方、第２のフレーム部２２２は、固定されているので回動せず、これに取付けられている第２のシート部２１２が撓んで１２ｃｍのディスク７の一方の主面に圧着する。１２ｃｍのディスク７を更に挿入すると、その先端部が前記第１のローラ３２と第２のローラ３３の周面に当たる。１２ｃｍのディスク７を更に挿入すると、前記第１のローラ３２と第２のローラ３３の間隔が押し広げられて行って、前記第１のアーム３４と第２のアーム３５が互いの間隔を広げるように回動する。前記第１のアーム３４の回動により前記連動ギヤ群６６を介してスイッチ機構６１の回転カム６５が回転し、該回転カム６５に設けた第２のカム面７２で第１のスイッチ６２ａをＯＮ状態にする。第１のスイッチ６２ａがＯＮされると、ディスク搬送機構９１のモータ９２が回転し、前記回転伝達部９３を介してモータ９２の回転を前記第１のローラ３２及び第２のローラ３３に伝達する。
【０１５０】
前記第１のローラ３２及び第２のローラ３３の回転により１２ｃｍのディスク７は、筐体２内に搬送されて行って、前記第１のアーム３４と第２のアーム３５は、互いの間隔を広げるように回動する。１２ｃｍのディスク７は、８ｃｍのディスク６に比べて直径が４ｃｍ大きいのでそのぶん余計に前記第１のアーム３４と第２のアーム３５が回動するので、スイッチ機構６１の回転カム６５も８ｃｍのディスク６の場合に比べて余計に回転する。この回転により第３のカム面７３で第２のスイッチ６２ｂもＯＮ状態になり、第１のスイッチ６２ａと第２のスイッチ６２ｂが共にＯＮ状態になる。
【０１５１】
そして、前記１２ｃｍのディスク７の中央部が前記ディスクテーブル１２の略真上に移動して来ると、ディスクセンタリング部材８１は、ストッパー８５により更なる回動を阻止されて、１２ｃｍのディスク７の位置決めが行われる。
【０１５２】
８ｃｍのディスク６の場合と同様に、前記ディスクセンタリング部材８１が回動したときに、該ディスクセンタリング部材８１の庇状の舌片８９に設けた操作部８３でラック１３４を押圧する。この押圧がトリガーとなって、ラック１３４は、前記ディスク搬送機構９１の第１４のギヤ１０２と一体の小径ギヤ１３２と噛合してスライドする。
【０１５３】
前記ラック１３４が所定量スライドすると、前記長孔１３６の端部にピン１３７が当接してラック１３４と共にギヤ切換部材１３５がスライドする。ギヤ切換部材１３５が所定量スライドすると、前記ギヤ支持部材１１３に設けた軸１３８は、前記第１の溝部１４０内から第２の溝部１４１を介して第３の溝部１４２内に移動する。
【０１５４】
前記ギヤ支持部材１１３に設けた軸１３８が前記第３の溝部１４２内に移動することによって、ギヤ支持部材１１２は、軸１３８を中心に回動して第１５のギヤ１０３と第１６のギヤ１０４の噛合を外す。従って、ディスク搬送機構９１の回転伝達部９３の連繋は遮断されて、前記モータ９２による第１のローラ３２及び第２のローラ３３が回転は阻止される。
【０１５５】
ディスク搬送機構９１の回転伝達部９３の連繋が遮断された場合でも、前記モータ９２の回転は、前記第１のプーリ９６、該第１のプーリ９６に一端側を掛けられたエンドレスベルト９７、該エンドレスベルト９７の他端側が掛けられた第２のプーリ９８、該第２のプーリ９８の回転軸に設けられた第１１のギヤ９９、該第１１のギヤ９９に噛合している第１２のギヤ１００、該第１２のギヤ１００に噛合している第１３のギヤ１０１、該第１３のギヤ１０１に噛合している第１４のギヤ１０２、該第１４のギヤ１０２と一体の小径ギヤ１３２及びラック１３４を介してギヤ切換部材１３５に伝達され、該ギヤ切換部材１３５をスライドさせる。
【０１５６】
ギヤ切換部材１３５がスライドすると、前記メカシャーシ４の自由端側に設けたカム係合凸部１５２が前記ギヤ切換部材１３５の側面に設けられているメカシャーシ昇降操作用のカム溝１５３の第２のカム溝部１５５を介して第３のカム溝部１５６内に導入されてメカシャーシ４をディスクチャッキング位置に上昇させる。メカシャーシ４がディスクチャッキング位置に上昇すると、メカシャーシ４に設けた突起（図示省略）で前記アーム操作部材２７を操作して、該アーム操作部材２７によるチャッキング部材支持アーム２３の押圧を解除すると、チャッキング部材支持アーム２３は、捩りコイルバネ２８のバネ力で下降して天面パネル５の上面に重なる。
【０１５７】
上述のような、メカシャーシ４の上昇と、チャッキング部材支持アーム２３の下降によって、１２ｃｍのディスク６は、ディスクテーブル１２上に載置されると共に、ディスクテーブル１２側に磁気吸着されたチャッキング部材２２によってディスクテーブル上にマグネットチャッキングされた状態になる。一方、前記ギヤ切換部材１３５のスライドによりラック状のギヤ１８５、ピニオン１８４、ラック状のギヤ１８３を介してスライド部材１８２がスライドし、該スライド部材１８２に設けた押圧操作部１８１の台形状のカム部１８０が前記基部１７６とベースプレート４の間から抜け出て前記基部１７６の押圧を解除することにより、前記阻止部材本体部１７５は、付勢部材１７３としてのコイルスプリングのバネ力でベースプレート４に設けた孔部１７８からディスク出入口３の内側に侵入して該ディスク出入口３の中央部を塞ぐと共に、前記メカシャーシロック機構１９１のチャッキング時ロック部１９９でメカシャーシ１１をディスクチャッキング位置にロックする。
【０１５８】
１２ｃｍのディスク７がディスクテーブル１２上にマグネットチャッキングされたのち、前記ギヤ切換部材１３５が更にスライドすると、図３６に示すように、前記ギヤ切換部材１３５に組付けた回転カム操作体１６４の端部に設けた突起係合部１６９が回転カム６５に設けたローラ接離用の突起１６８に係合して回転カム６５を回転させると共に、前記回転カム操作体１６４に設けた第３スイッチ操作部６３で前記第３のスイッチ６２ｃをＯＮ状態にする。
【０１５９】
回転カム６５の回転により、前記ディスク挿入ガイド機構３１の同期駆動用のギヤ群３８を介して前記第１のアーム３４と第２のアーム３５を互いに離間する方向に回動させて、図５０に示すように、前記これら第１のアーム３４と第２のアーム３５を１２ｃｍのディスク７の周面から離して、該ディスク７を回転フリーの状態にする。そして、１２ｃｍのディスクの記録及び／又は再生を行なう。
【０１６０】
記録及び／又は再生終了後に、エジェクト釦を押すと前記モータ９２が逆転して、前記ディスク挿入時とは、逆の動作が行われる。そして、前記スイッチ機構の項で説明したように前記第３のカム面７３で第２のスイッチ６２ｂがＯＦＦ状態になっってから第１のスイッチ６２ａがＯＦＦ状態になるまでのＤｕｔｙ３３％の範囲で図３７、図３８に示すように、ＲＥＶ信号は、８ｍｓｅｃと４ｍｓｅｃでＬとＨを交互に発信して、モータ９２を断続的にＯＮ，ＯＦＦする。従って、モータ９２は回転駆動の電圧を維持したままの状態でモータ９２によるディスクの搬送速度を減速させることにより前記ディスク脱落防止機構２０１との相乗効果により１２ｃｍのディスク７がディスク挿入口から飛び出るのを確実に防止するのである。
【０１６１】
また、ディスク記録及び／又は再生装置を縦置き状態にして使用した場合においても、重力による１２ｃｍのディスク７の下方への偏りを前記ディスク姿勢制御部材で矯正して、ディスクが転がり落ちるのを防止することができる。
【図面の簡単な説明】
【０１６２】
【図１】本発明の記録及び／又は再生装置の斜視図。
【図２】本発明の記録及び／又は再生装置を裏側から見た斜視図。
【図３】ディスク脱落防止機構を取り外した状態の斜視図。
【図４】メカシャーシがディスクチャッキング解除位置にある状態の側面図。
【図５】メカシャーシがディスクチャッキング位置にある状態の側面図。
【図６】ディスクチャッキング機構の断面図。（チャッキング解除位置）。
【図７】ディスクチャッキング機構の断面図。（チャッキング位置）。
【図８】ディスク脱落防止機構からディスク姿勢制御部材を取り外した状態の斜視図。
【図９】ゲートシート支持フレームの分解斜視図。
【図１０】第１のシート部と第１のフレーム部を分解した状態の斜視図。
【図１１】第２のシート部と第２のフレーム部を分解した状態の斜視図。
【図１２】ディスク脱落防止機構の要部の断面図。
【図１３】ディスク挿入状態の断面図。
【図１４】ディスク排出状態の断面図。
【図１５】ディスク挿入ガイド機構の平面図。
【図１６】第１，第２のアームが最も開いた状態の平面図。
【図１７】第１，第２のローラの側面図。
【図１８】スイッチ機構の説明図（第１，第２のスイッチがＯＦＦ状態）。
【図１９】スイッチ機構の説明図（第１のスイッチがＯＮ，第２のスイッチがＯＦＦ状態）。
【図２０】スイッチ機構の説明図（第１，第２のスイッチがＯＮ状態）。
【図２１】回転カムとディスクセンタリング部材の斜視図。
【図２２】回転カムとディスクセンタリング部材を裏側から見た斜視図。
【図２３】８mmのディスクがディスクセンタリング部材に当接した状態を示す説明図。
【図２４】８mmのディスクがディスクセンタリングされた状態を示す説明図。
【図２５】１２mmのディスクがディスクセンタリング部材に当接した状態を示す説明図。
【図２６】１２mmのディスクがディスクセンタリングされた状態を示す説明図。
【図２７】ベースプレート側の回転伝達部を示す平面図。
【図２８】天面プレート側の回転伝達部を示す平面図。
【図２９】ギヤ切換機構およびディスクセンタリング部材の要部の斜視図。
【図３０】ギヤ切換機構の作用を示す説明図。
【図３１】ギヤ切換機構の作用を示す説明図。
【図３２】ギヤ切換機構の作用を示す説明図。
【図３３】ギヤ切換機構の作用を示す説明図。
【図３４】ディスク昇降機構の略示的説明図（ディスクチャッキング解除状態）。
【図３５】ディスク昇降機構の略示的説明図（ディスクチャッキング状態）。
【図３６】ディスク接離機構が作動した状態の説明図。
【図３７】スイッチ機構６１の作用を示すタイミングチャートと各信号の組み合わせを示す図。
【図３８】図３７の要部（円形部分）の拡大図。
【図３９】モータの制御ブロック図。
【図４０】各信号の高低（Ｈ，Ｌ）とアウトプット（Ｓｔａｔｅ）の関係を示す表図。
【図４１】ディスク重複挿入防止機構によりディスク出入口を遮断した状態を示す説明図。
【図４２】ディスク重複挿入防止機構によりディスク出入口を開放した状態を示す説明図。
【図４３】ディスク重複挿入防止機構の要部の平面図（ディスク出入口の開放状態）。
【図４４】図４３のＡ−Ａ断面図。
【図４５】ディスク重複挿入防止機構の要部の平面図（ディスク出入口の遮断状態）。
【図４６】図４５のＢ−Ｂ断面図。
【図４７】メカシャーシをディスクチャッキング解除位置にロックしている状態の斜視図。
【図４８】メカシャーシをディスクチャッキング位置にロックしている状態の斜視図。
【図４９】８mmのディスクを搬送している状態の平面図。
【図５０】ディスクから搬送ローラが離れた状態の平面図。
【図５１】１２mmのディスクを搬送している状態の平面図。
【図５２】従来例を示す断面図。
【図５３】従来例を示す断面図。
【図５４】従来例を示す断面図。
【図５５】従来例を示す平面図。
【符号の説明】
【０１６３】
１…ディスク記録及び／又は再生装置、２…筐体、３…ディスク出入口、４…ベースプレート、５…天面パネル、６…８mmのディスク、７…１２mmのディスク、９１…ディスク搬送機構、２０１…ディスク脱落防止機構、２０２…切れ目、２０３…ゲートシート、２０４…ゲートシート支持フレーム、２０５…ディスク姿勢制御部材、２１１…第１のシート部、２１２…第２のシート部、２２１…第１のフレーム部、２２２…第２のフレーム部、２２２ｋ…弾性部材。
【図１】
2005235341.tif 000003
【図２】
2005235341.tif 000004
【図３】
2005235341.tif 000005
【図４】
2005235341.tif 000006
【図５】
2005235341.tif 000007
【図６】
2005235341.tif 000008
【図７】
2005235341.tif 000009
【図８】
2005235341.tif 000010
【図９】
2005235341.tif 000011
【図１０】
2005235341.tif 000012
【図１１】
2005235341.tif 000013
【図１２】
2005235341.tif 000014
【図１３】
2005235341.tif 000015
【図１４】
2005235341.tif 000016
【図１５】
2005235341.tif 000017
【図１６】
2005235341.tif 000018
【図１７】
2005235341.tif 000019
【図１８】
2005235341.tif 000020
【図１９】
2005235341.tif 000021
【図２０】
2005235341.tif 000022
【図２１】
2005235341.tif 000023
【図２２】
2005235341.tif 000024
【図２３】
2005235341.tif 000025
【図２４】
2005235341.tif 000026
【図２５】
2005235341.tif 000027
【図２６】
2005235341.tif 000028
【図２７】
2005235341.tif 000029
【図２８】
2005235341.tif 000030
【図２９】
2005235341.tif 000031
【図３０】
2005235341.tif 000032
【図３１】
2005235341.tif 000033
【図３２】
2005235341.tif 000034
【図３３】
2005235341.tif 000035
【図３４】
2005235341.tif 000036
【図３５】
2005235341.tif 000037
【図３６】
2005235341.tif 000038
【図３７】
2005235341.tif 000039
【図３８】
2005235341.tif 000040
【図３９】
2005235341.tif 000041
【図４０】
2005235341.tif 000042
【図４１】
2005235341.tif 000043
【図４２】
2005235341.tif 000044
【図４３】
2005235341.tif 000045
【図４４】
2005235341.tif 000046
【図４５】
2005235341.tif 000047
【図４６】
2005235341.tif 000048
【図４７】
2005235341.tif 000049
【図４８】
2005235341.tif 000050
【図４９】
2005235341.tif 000051
【図５０】
2005235341.tif 000052
【図５１】
2005235341.tif 000053
【図５２】
2005235341.tif 000054
【図５３】
2005235341.tif 000055
【図５４】
2005235341.tif 000056
【図５５】
2005235341.tif 000057